(57)【要約】【課題】墓碑自体の構造を改良し、墓地に埋葬されている故人への充分な供養を行える祭壇付き複合墓碑を提供する。【解決手段】墓地に載置される墓碑台の上に、前面が開口された縦長の箱状の墓碑本体が立設され、墓碑本体には墓碑本体と略同形状の箱状の墓碑副本体が内装され、墓碑本体の前面開口部の上側には墓碑銘の記された墓碑銘板が設けられ、墓碑本体の前面開口部の下側には祭壇が設けられ、祭壇の前面開口部を墓碑本体の前面開口端よりも奥側となるように位置させて墓碑本体の前面開口端と祭壇の前面開口部との間に祭壇の雨よけ兼日よけの領域が形成された祭壇付き複合墓碑。【選択図】図１
2007198124.tif 000002
【特許請求の範囲】
【請求項１】
墓地に載置される墓碑台の上に、前面が開口された縦長の箱状の墓碑本体が立設され、墓碑本体には墓碑本体と略同形状の箱状の墓碑副本体が内装され、墓碑本体の前面開口部の上側には墓碑銘の記された墓碑銘板が設けられ、墓碑本体の前面開口部の下側には祭壇が設けられ、祭壇の前面開口部を墓碑本体の前面開口端よりも奥側となるように位置させて墓碑本体の前面開口端と祭壇の前面開口部との間に祭壇の雨よけ兼日よけの領域が形成されていることを特徴とする祭壇付き複合墓碑。
【請求項２】
墓碑副本体の前面開口部が墓碑本体の前面開口端部よりも奥側に位置するように墓碑副本体が墓碑本体に内装されている請求項１に記載の祭壇付き複合墓碑。
【請求項３】
墓碑本体に内挿した墓碑副本体の上側に墓碑銘板を、墓碑副本体の下側に祭壇を取り付けた請求項１又は２に記載の祭壇付き複合墓碑。
【請求項４】
墓碑本体の底壁と墓碑副本体の底板との隙間、及び祭壇の雨よけ兼日よけの領域が祭壇の底壁に連設されたエプロンによって覆蔽された請求項１から３のいずれか１項に記載の祭壇付き複合墓碑。
【請求項５】
墓碑本体の左右両側壁及び天井壁と、墓碑副本体の左右の両側板及び天板との隙間が枠体によって覆蔽されている請求項１乃至４のいずれか１項に記載の祭壇付き複合墓碑。
【請求項６】
墓碑本体、祭壇、墓碑銘板のうちの少なくともいずれか一つを照明するための照明装置が設置されてなる請求項１乃至５のいずれか１項に記載の祭壇付き複合墓碑。
【請求項７】
墓碑本体及び墓碑副本体が、石材、ステンレス鋼、アルミニウム、ガラス、及び樹脂から選ばれる材料からなる請求項１乃至６のいずれか１項に記載の祭壇付き複合墓碑。
【請求項８】
墓碑銘としてガラス板又は合成樹脂製の平板が使用されている請求項１から７のいずれか１項に記載の祭壇付き複合墓碑。
【発明の詳細な説明】
【技術分野】
【０００１】
本発明は、家名や家紋など墓碑銘の記された墓碑本体に改良を加え、故人への思いやりの気持ちと、墓参者に対する慰めの気持ちとを付与した祭壇付き複合墓碑に関する。
【背景技術】
【０００２】
従来の墓碑は、例えば、図８に示すように、墓地に載置される墓碑台９０と、該墓碑台９０に立設された墓碑本体９１とから構成されている。また、昨今では、例えば、特許第２７０７２１９号明細書に示すように、屋内に安置された仏壇に納骨台及び墓碑が組み込まれ、さらに、仏壇と墓碑とがスライド機構によって参拝者の正面に位置するように構成されているものが公知になっている。そして、墓碑の建立費用を安価にし、故人を身近に安置して、自宅でいつでも仏壇の参拝と墓参りとができるようになっている。
【０００３】
さらに、特開２００１−４９９０３号公報に示すように、既存の墓碑の近傍に、発光ダイオードを有する照明装置と、読経を発生させる音声発生装置と、照明装置及び音声発生装置の制御装置とが設置されているものも公知になっている。そして、墓碑を発光ダイオードによって照射し、発光ダイオードの発光色を参拝する人の気分によって変化させてみたり、読経を連動させたりして、墓碑を照明や音声によって装飾して故人を慰めようとしている。
【発明の開示】
【発明が解決しようとする課題】
【０００４】
しかしながら、前記従来の墓碑の場合、建立する費用が高価であることに加え、墓碑に故人の名前や没年月日を表記しているだけでは、故人を慰めるには不十分であるという問題がある。また、前記特許第２７０７２１９号明細書に記載の発明では、仏壇を参拝する場合と、お墓参りする場合とに応じて、仏壇と墓碑をスライドさせて参拝者の正面に適宜位置させる必要があり、その作業が煩雑で、構造が複雑になる。しかも、大きな重量を有する墓碑を支持する強度が必要になると共に、墓碑をスライドさせるのが困難である。そして、墓碑自体の構造には、何ら工夫はされておらず、故人を慰めるには不十分であるという問題がある。
【０００５】
さらに、前記特開２００１−４９９０３号公報に記載の発明では、墓碑を発光ダイオードによって照射したり、読経を連動させたりしているが、前記と同様に、墓碑自体の構造に工夫がないため、照明や音声によって墓碑を装飾しても、埋葬されている故人への慰めになるとは言いがたい。
【０００６】
そこで、本発明は上記問題点に鑑み、墓碑自体の構造を改良し、墓地に埋葬されている故人への充分な供養を行うことができる祭壇付き複合墓碑を提供することを目的とするものである。
【課題を解決するための手段】
【０００７】
上記課題を解決するための本発明は、墓地に載置される墓碑台の上に、墓碑銘が記された柱状の墓碑本体と祭壇とが組み合わされて立設された祭壇付き複合墓碑に関するものであり、例えば、既存の石材からなる墓碑本体に、種々の宗教や宗派に応じた祭壇を組み合わせれば、故人の信仰する宗教や宗派が判別できると共に、故人への供養にもなりうるものである。
【０００８】
さらに詳しくは、本発明の祭壇付き複合墓碑は、墓地に載置される墓碑台の上に、前面が開口された縦長の箱状の墓碑本体が立設され、墓碑本体には墓碑本体と略同形状の箱状の墓碑副本体が内装され、墓碑本体の前面開口部の上側には墓碑銘の記された墓碑銘板が設けられ、墓碑本体の前面開口部の下側には祭壇が設けられ、祭壇の前面開口部を墓碑本体の前面開口端よりも奥側となるように位置させて墓碑本体の前面開口端と祭壇の前面開口部との間に祭壇の雨よけ兼日よけの領域が形成されていることを特徴とするものである。
【０００９】
そして、墓碑本体の前面開口端部と祭壇の前面開口部との間に形成される雨よけ兼日よけの領域は、祭壇の前面開口部の位置を墓碑本体の前面開口部の位置よりも後方（奥側）に位置することにより形成されるが、墓碑本体の前面開口端よりも内装した墓碑副本体の前面開口部を奥側に位置するように設置することにより形成してもよい。これにより雨水が祭壇に直接浸水するのを防止できると共に、日射による紫外線から祭壇を保護でき、祭壇の構成部材の劣化を阻止できる。
【００１０】
また、墓碑本体の左右の両側壁及び天井壁と、墓碑副本体の左右の両側板及び天板との隙間を枠体によって覆蔽し、さらに、墓碑本体の底壁と墓碑副本体の底板との隙間、及び、祭壇の雨よけ兼日よけの領域を、祭壇の底壁に連設されたエプロンによって覆蔽するのがよい。この場合、枠体によって、墓碑本体の左右の両側壁及び天井壁と、墓碑副本体の左右の両側板及び天板との隙間からの浸水が防止される。さらに、エプロンによって、墓碑本体の底壁と墓碑副本体の底板との隙間からの浸水を防止する一方、祭壇の雨よけ兼日よけの領域を雨水や日射から保護できる。加えて、枠体及びエプロンによって、外部からの見栄えがよくなる。
【００１１】
例えば、金属板によって墓碑本体を形成すれば、石材からなる柱状の墓碑本体に比して軽量化できる。さらに、墓碑本体に刻印される墓碑銘を墓碑銘板に印刷すれば、石工のような専門職の高度の技術は必要なく、誰にでも容易に墓碑銘を墓碑本体に記すことができると共に、手掘りの墓碑銘に比して大幅にコストを低減できる。加えて、箱状の墓碑本体に祭壇を設けるだけでよく、墓碑本体と祭壇とが容易に一体化できる。
【００１２】
また、墓碑本体、祭壇、墓碑銘板のうち少なくともいずれか一つに照明装置を設置するようにしてもよい。例えば、墓碑本体の全体を照射してもよいし、祭壇の内部を照射してもよいし、墓碑銘板を外部から照射してもよい。しかも、墓碑本体、祭壇、墓碑銘板のうち少なくともいずれか一つでも照射することで、墓石だけが設置されている墓地の暗いイメージが一掃されて明るく温かみのある墓地になり、故人への供養、墓参する人の心の慰めになる。また、石材などからなる墓碑本体に祭壇や照明装置を直接設置するのではなく、設置しやすい金属製の墓碑副本体に、祭壇及び照明装置を一体化させた後、墓碑本体に墓碑副本体を内装することで、従来にはなかった二層構造の墓碑が効率よく、且つ、安価に製造可能になる。
【００１３】
さらに、本発明の祭壇付き複合墓碑は、墓碑本体に石材が使用されると共に、墓碑銘板にガラス板が使用され、さらに、祭壇の左右の両側面、底面、背面にそれぞれ磁器製の壁材が使用され、しかも、墓碑本体には、墓碑本体と略同形状の金属製の箱状の墓碑副本体が内装され、さらに、祭壇の左右の両側壁、底壁、背壁が、墓碑副本体の左右の両側板、底板、背板にそれぞれ貼着され、祭壇の天井部が、祭壇の上面を覆った格子状の骨組みと、該骨組みに貼着されたガラス製の天井板とで構成されると共に、祭壇の前面開口部を開閉する開き戸が、観音開きに構成された左右の格子戸と、該両格子戸の骨組みにそれぞれ貼着されたガラス板とで構成され、加えて、照明装置が墓碑副本体の上部及び祭壇に設置されてなるように構成を付加することが可能である。
【００１４】
墓碑本体に石材を使用することで、日本古来の石の墓碑を表現できる。また、墓碑銘板にガラス板を使用することで、太陽光や照明の光を墓碑銘板に透過させたり、反射させたりして、従来になかった墓石の装飾を醸し出すことができる。さらに、祭壇の左右の両側面、底面、背面にそれぞれ装飾された磁器製の壁材を使用することで、耐久性及び耐候性に優れ、従来の祭壇と同様の装飾も各壁材に施せる。
【００１５】
また、墓碑本体を石材とした場合、墓碑本体の内面を加工するのが困難になるため、墓碑本体と略同形状の金属製の墓碑副本体を墓碑本体に内装することで、墓碑副本体に墓碑銘板や祭壇を一体化すれば、墓碑本体との組み合わせが容易になる。上述したように、墓碑を二層構造にすることで、祭壇を外部へ設置するための耐久性及び耐候性の性能を容易に付加できると共に、短時間で組立が可能となる。
【００１６】
さらに、祭壇の天井部を、祭壇の上面を覆った格子状の骨組みと、該骨組みに貼着されたガラス製の天井板とで構成すると共に、祭壇の前面開口部を開閉する開き戸を、観音開きに構成された左右の格子戸と、該両格子戸の骨組みにそれぞれ貼着されたガラス板とで構成すれば、墓碑副本体の上部に設置された照明装置の光が、天井部のガラス板から透過し、祭壇内部を照射する一方、祭壇に設置された照明装置の光と融和し、本願特有の光の装飾が表現される。また、墓碑副本体の上部及び祭壇に設置された照明装置の融和した光が、祭壇の各壁材の装飾をより一層引き立たせることになる。その上、格格子戸のガラス板からは融和した照明装置の光が外部に透過することになり、墓参する人を魅了する。
【００１７】
また、墓碑副本体の左右の両側板及び底板に、墓碑本体の左右の両側壁及び底壁に当接して、墓碑本体と墓碑副本体との間隔を調整する調整ボルトを配設するのがよい。そうすると、墓碑副本体の左右の両側板及び底板と、墓碑本体の左右の両側壁及び底壁との隙間が略均一になり、墓碑本体に墓碑副本体がバランスよく内装される。加えて、墓碑本体の前面開口端部と、墓碑副本体の前面開口端部との隙間に、コーキング剤を充填するのが好ましい。そうすれば、墓碑本体の前面開口端部と、墓碑副本体の前面開口端部との隙間をコーキング剤によって覆うことができ、雨水などによって腐食しやすい墓碑副本体を保護できる。さらに、全体の構成として、前方からの雨水の浸水や潮風による塩害を防止でき、錆、黴に対して耐久性があり、長寿命化が図られる。
【００１８】
さらに、祭壇のエプロンに、祭壇の開き戸の開放状態を保持する保持部材を取り付けるのが好ましい。例えば、祭壇の開き戸にフックを設け、エプロンに引掛け具を取り付け、フックを引掛け具に引掛けて祭壇の開き戸を開放状態に保持すれば、風のきつい日でも、祭壇の開き戸を開放した状態で、祭壇の内部の清掃、墓参が行える。加えて、祭壇の底壁に、祭壇の前面開口部に向かって下降傾斜する水勾配を形成し、祭壇の底壁に、祭壇の底壁から外部に連通する水抜き兼空気流路を形成するのが望ましい。したがって、祭壇の底壁から外部に連通する水抜き兼空気流路によって、雨季の場合でも、祭壇内部に雨水が溜まることがなく、その上、通気性も確保されるため、湿気による祭壇内部の防黴対策になる。
【００１９】
また、ろうそくや線香などの備品を載置するための載置板に磁器又は石材を使用し、該載置板を祭壇の壇部に敷設するのがよい。例えば、ろうそくや線香を載置板に載せても、ろうそくの蝋や線香の灰が載置板に落ちることによって、載置板が損傷することがなく、劣化防止にもなる。さらに、載置板を洗剤で洗浄しても傷めることはない。さらに、祭壇に芳香剤、又は、芳香剤の混合された溶液に収容容器を設けるのが好ましい。よって、祭壇内部に芳香剤が充満し、祭壇の開き戸を開放した際、祭壇内部から香りが自然に洩れ出るようになり、墓参する人に安堵感を与える。
【００２０】
そして、祭壇の開き戸の開放動作にレバーを連動させて、芳香剤の溶液の収容容器の芳香剤をノズルから噴霧させる。例えば、祭壇の開き戸に収容容器のレバーを連結し、祭壇の開き戸の開放動作にレバーを連動させ、収容容器のノズルから所定量の抹香の芳香剤を外部に噴霧するようにすれば、墓参する人の心が安らぐことになる。また、故人の好みの香りの芳香剤を噴霧すれば、墓参する人が故人の在りし日をしのぶことにもなる。
【００２１】
加えて、故人の声、宗教や宗派の読経、回向、訓示、音楽のうちいずれか一つ、又は、これらの組み合わせが収録された記録媒体を再生する音声発生装置を付設するのが望ましい。例えば、故人の声で録音された遺言、伝言、訓示、を墓参する際に聴くことができる。また、宗教や宗派の教えを聞くことで、墓参する人の励ましになる。さらに、故人の好みの音楽をながすことで、故人への慰めになる。
【００２２】
また、本発明の祭壇付き複合墓碑を製造するには、前面が開口された石材からなる箱状の墓碑本体を形成すると共に、墓碑本体と略同形状の金属製の墓碑副本体を形成し、つぎに、墓碑副本体の下側に祭壇を設け、さらに、墓碑副本体の上部及び祭壇に照明装置を設置し、その後、墓碑副本体の前面開口部の上側に、ガラス板の墓碑銘板を取り付け、最後に、墓碑本体に墓碑副本体を内装することにより行うことができる。
【発明の効果】
【００２３】
以上の説明から明らかなように、本発明の祭壇付き複合墓碑は、墓地に載置される墓碑台の上に、墓碑銘が記された柱状の墓碑本体と、故人の信仰する種々の宗教や宗派に応じた祭壇を組み合わせることができ、故人への供養が有効に行える。
【００２４】
さらに、墓碑本体、又は、祭壇の少なくともいずれか一つに照明装置を設置することで、墓碑本体、又は、祭壇を光の演出効果で装飾できる。
【００２５】
また、本発明の祭壇付き複合墓碑は、墓地に載置される墓碑台の上に、前面の開口された縦長の箱状の墓碑本体を立設し、墓碑本体の前面開口部の上側に、墓碑銘の記された墓碑銘板を取り付け、墓碑本体の前面開口部の下側に、祭壇を設けるようにしたため、墓碑本体の軽量化、墓碑銘を安価に表記できる。加えて、組立作業の時間を短縮できる。
【００２６】
さらに、墓碑本体、祭壇、墓碑銘板のうち少なくともいずれか一つに照明装置を設置するようにしたため、従来の墓地のイメージを変えるのに有効である。
【００２７】
また、本発明の祭壇付き複合墓碑は、墓碑本体に石材を使用し、墓碑銘板にガラス板を使用し、祭壇の左右の両側面、底面、背面にそれぞれ磁器製の壁材を使用するようにしたため、耐久性及び耐候性に優れている。
【００２８】
しかも、墓碑本体に内装される金属製の墓碑副本体の左右の両側板、底板、背板に、装飾の施された磁器製の壁材を貼着することで、祭壇の左右の両側壁、底壁、背壁を形成し、祭壇の天井部を、祭壇の上面を覆った格子状の骨組みと、該骨組みに貼着されたガラス製の天井板をとで構成すると共に、祭壇の前面開口部を開閉する開き戸を、観音開きに構成された左右の格子戸と、該両格子戸の骨組みにそれぞれ貼着されたガラス板とで構成し、墓碑副本体の上部及び祭壇に照明装置を設置するようにしたため、屋外、屋内を問わず、墓碑本体に祭壇を装備できる効果がある。
【００２９】
さらに、墓碑副本体の左右の両側板及び底板に配設された調整ボルトによって、墓碑本体と墓碑副本体との間隔を調整するようにしたため、墓碑副本体の墓碑本体への内装が容易になる。
【００３０】
加えて、墓碑本体の前面開口端部と、墓碑副本体の前面開口端部との隙間に、コーキング剤を充填し、雨水などの浸水を防止するようにしたため、墓碑副本体の耐水性を持たせることができると共に、黴、錆の発生を抑制できる。
【００３１】
そして、墓碑本体の前面開口端部と祭壇の前面開口端部との間に、祭壇の雨よけ兼日よけの領域を形成し、祭壇の内部を雨水から守ることができる。
【００３２】
また、墓碑本体の左右の両側壁及び天井壁と、墓碑副本体の左右の両側板及び天板との隙間を枠体によって覆蔽し、さらに、墓碑本体の底壁と墓碑副本体の底板との隙間、及び、祭壇の雨よけ兼日よけの領域を、祭壇の底壁に連設されたエプロンによって覆蔽するようにしたため、枠体及びエプロンによって、防水効果を加え、外観も良好になる。
【００３３】
さらに、祭壇の開き戸の開放状態を保持する保持部材を祭壇のエプロンに取り付けるようにしたので、祭壇の開き戸を開放状態に保持することで、強風のときの墓参に効果がある。
【００３４】
加えて、祭壇の底壁に、祭壇の前面開口部に向かって下降傾斜する水勾配を形成し、祭壇の底壁に、祭壇の底壁から外部に連通する水抜き兼空気流路を形成するようにしたので、黴や錆の発生、及び、黴や錆の発生による腐食を有効に防止できる。
【００３５】
また、ろうそくや線香などの備品を載置するための載置板に磁器又は石材を使用し、この載置板を祭壇の壇部に敷設することで、洗浄や熱による損傷、汚れ、劣化防止に効果がある。
【００３６】
さらに、祭壇に芳香剤、又は、芳香剤の混合された溶液の収容容器を設けたので、祭壇の開き戸を開放した際、祭壇内部に充満した香りが外部に広がり、墓参者の心を慰めるのに有効である。
【００３７】
そして、芳香剤の溶液の収容容器に、祭壇の開き戸の開放動作に連動するレバーによって、芳香剤を噴霧するノズルを設ければ、芳香剤を、容易に且つ簡単に外部へ広げることができる。
【００３８】
加えて、故人の声、宗教や宗派の読経、回向、訓示、音楽のうちいずれか一つ、又は、これらの組み合わせが収録された収録媒体を再生する音声発生装置を付設することで、故人をしのぐことができる。
【発明を実施するための最良の形態】
【００３９】
次に、本発明を実施例に基づいて説明するが、本発明は、以下の実施例によって何ら限定されるものではない。
本発明の祭壇付き複合墓碑は、墓碑銘が記された柱状の墓碑本体と、祭壇とが組み合わせれて、墓地に載置される墓碑台の上に立設され、さらに、墓碑本体、又は、祭壇の少なくともいずれか一つに照明装置が設置されている。そして、墓碑本体と組み合わされた祭壇によって故人を供養すると共に、照明装置によって故人の墓、及び、墓参する人の心を慰める。
【実施例１】
【００４０】
本発明の実施例について図１〜図７を参照して説明する。本発明の祭壇付き複合墓碑は、墓地に載置される墓碑台１と、該墓碑台１に立設された墓碑本体５と、該墓碑本体５に内装された墓碑副本体６と、該墓碑副本体６の上側に取り付けられた墓碑銘板７と、墓碑副本体６の下側に設けられた祭壇８と、墓碑副本体６の上部及び祭壇８にそれぞれ配設された照明装置１２と、祭壇８に付設された音声発生装置１３と、照明装置１２及び音声発生装置１３の制御装置１４と、照明装置１２、音声発生装置１３、制御装置１４の供給電源部１５とから構成されている。
【００４１】
墓碑台１は、墓碑台本体２と、平板状の蓋板３及び枠状の敷板４とから構成され、墓地に埋設された納骨部を覆うべく設置されている。さらに、墓碑台本体２は、横長の直方体形状の箱体を呈し、その上面及び底面が開口され、墓碑台本体２の上面開口部及び底面開口部が蓋板３及び敷板４によって閉塞されている。
【００４２】
墓碑本体５は、前面が開口された縦長の直方体形状の箱体を呈している。墓碑本体５を構成する左右の両側の側壁５ａ，５ａ、背壁５ｂ、底壁５ｃ、天井壁５ｄは、石材からなる四角柱体を刳り貫いて形成されている。この墓碑本体５は、支持台５ｅを介して墓碑台１の蓋板３の上に立設されている。
【００４３】
墓碑副本体６は、墓碑本体５と略同形状のステンレス製の箱状を呈し、墓碑本体５よりもやや小さく形成されている。しかも、墓碑副本体６は、左右の両側板６ａ，６ａ、底板６ｃ、には、墓碑本体５の左右の両側壁５ａ，５ａ及び底壁５ｃに当接して、墓碑本体５と墓碑副本体６との間隔を調整する調整ボルト５０，・・・が配設されている。そして、各調整ボルト５０，・・・によって、墓碑本体５の底壁５ｃと、墓碑副本体６の底板６ｃとが平行になるように調整され、墓碑本体５の底壁５ｃ及び墓碑副本体６の底板６ｃが設置面に対して略水平になるように調整される。さらに、墓碑本体５の左右の両側壁５ａ，５ａと、墓碑副本体６の左右の両側板６ａ，６ａとが平行になるように調整され、墓碑本体５の両側壁５ａ，５ａ及び墓碑副本体６の両側板６ａ，６ａが設置面に対して略垂直になるように調整される。
【００４４】
墓碑銘板７は、矩形状のガラス板からなる。該ガラス板には、故人の家名や家紋、戒名、事績、梵字、宗教名や宗派名などのうちいずれか一つ、又は、これらの組み合わせがエッチングにより刻印される。さらに、墓碑銘板７の周縁部に飾り枠がエッチングにより刻印される（図示せず）。加えて、墓碑銘板７の上縁部が墓碑副本体６の天井板６ｄに回動自在に支持され、墓碑副本体６の前面開口部の上側の開閉可能に閉塞し、墓碑銘板７の下端部に錠前７ａが取り付けられている。この錠前７ａは、故人の親族のみが有する鍵以外では開放できないようになっている。
【００４５】
祭壇８は、仏壇から構成され、該仏壇は、壁部としての左右の両側壁８ａ，８ａ、背壁８ｂと、底壁８ｃ、両側壁８ａ，８ａ及び背壁８ｂで囲繞された上面開口部を覆う天井部９と、両側壁８ａ，８ａ、底壁８ｃ、天井部９で囲繞された前面開口部を開閉する開き戸１０と、仏像、位牌、備品が安置される祭壇８の内装部２０とを備えている。
【００４６】
各壁部８ａ〜８ｃは、装飾の施された磁器製の壁材が使用され、墓碑副本体６の前面開口部の下側において、墓碑副本体６の左右の両側板６ａ，６ａ、背板６ｂ、底板６ｃに、切断加工された各壁材が貼着され、祭壇８の左右の両側壁８ａ，８ａ、背壁８ｂ、底壁８ｃが形成されている。
【００４７】
祭壇８の天井部９は、祭壇８の上面開口部に架設された格子状の骨組み９ａと、該骨組み９ａに貼着されたガラス製の天井板９ｂと、該天井板９ｂに貼着されたフィルム９ｃとを具備している。このフィルム９ｃは、仏教的絵画が描かれており、照明装置１２の光が透過するようになっている。祭壇８の上面開口部は、祭壇８の各壁部８ａ〜８ｃで囲繞された平面視矩形状を呈している。
【００４８】
祭壇８の開き戸１０は、祭壇８の前面開口部を覆うべく並設された四つの格子戸１０ａ，・・・を備えている。各格子戸１０ａ，・・・は、矩形状の枠体１０ｂと、該枠体１０ｂに設けられた格子状の骨組み１０ｃと、枠体１０ｂ及び骨組み１０ｃに装着された強化ガラス板１０ｄとを有している。さらに、格子戸１０ａ，１０ａが二つ一組で構成されるべく、隣接する格子戸１０ａ，１０ａの枠体１０ｂ，１０ｂが蝶番（図示せず）によって連結されて折畳み可能に構成されている。加えて、枠体１０ｂ及び骨組み１０ｃにフッ素焼付け塗料が施された後、メッキ処理が施されている。そして、各格子戸１０ａ，・・・が閉じた際、祭壇８の前面開口部の中央部において隣接する両格子戸１０ａ，１０ａには、錠前１１が取り付けられており、故人の親族のみが有する鍵以外では開放できないようになっている。また、枠体１０ｂには、各格子戸１０ａ，・・・の開いた状態を検知するリミットスイッチ（図示せず）が設けられている。
【００４９】
祭壇８の内装部２０には、左右に引出し２１ａ，２１ａが設けられた壇部としての基壇２１と、該基壇２１の後部に設けられた階段２２と、該階段２２の最上段に所定の間隔をおいて立設された複数本の支柱２３，・・・と、基壇２１の前部の両側にそれぞれ設置された照明装置１２としてのろうそく灯１２ｂと、芳香剤の混合された溶液を収容した収容容器２４と、ろうそく灯１２ｂ及び音声発生装置１３の制御装置１４とを備えている。
【００５０】
基壇２１及び各引出し２１ａ，２１ａは、フッ素焼付け塗装が施されている。さらに、各引出し２１ａ，２１ａには、数珠、経文、家系図、日記などが収納されている。基壇２１の後板と各引出し２１ａ，２１ａの後板との空間には、音声発生装置１３が付設されてると共に、太陽発電によって得られた電気エネルギーを蓄電する蓄電装置１８も付設されている。
【００５１】
また、基壇２１には、磁器又は石材を使用した祭壇の備品を載置するための平面視矩形状の載置板２１ｂが敷設されている。この載置板２１ｂは、膨張率及び熱伝導率が小さいため、例えば、ろうそくの蝋の落下による熱の損傷を防止できる。さらに、載置板２１ｂは、汚れ、洗浄による劣化、経年劣化にも対処できる。
【００５２】
祭壇８の階段２２は、フッ素焼付け塗装が施された後、装飾具が取り付けられている（図示せず）。さらに、階段２２の左右の両側には、装飾の施された手すり２２ａ，２２ａが配置されている。
【００５３】
祭壇の各支柱２３，・・・は、磁器製、又は、ステンレス鋼の柱体にフッ素焼付け塗装が施された後、各支柱２３，・・・の中央部、上端部、下端部にそれぞれ装飾具２３ａ，・・・が取り付けられている。さらに、各支柱２３，・・・の上端部間には、装飾具としての欄間２３ｂが取り付けられている。
【００５４】
芳香剤の収容容器２４は、祭壇８の基壇２１の一側に付設されている。さらに、収容容器２４には、閉塞された状態の祭壇８の格子戸１０ａに押圧されたレバー２５を有すると共に、レバー２５の作動によって芳香剤を噴霧するノズル２６が設けられている。このノズル２６の噴出口は、祭壇８の前面開口部の近傍に向くように設けられている。さらに、祭壇８の開き戸１０の開放動作にレバー２５が運動して、芳香剤がノズル２６から噴霧されることになる。
【００５５】
祭壇８の底壁８ｃには、祭壇８の前面開口部に向かって下降傾斜する水勾配が形成されると共に、長穴４６と流路４７とによって、水抜き兼空気流路４５が形成されている。閉塞された開き戸１０の後部近傍の位置に、祭壇８の底壁８ｃの前端部に沿って長穴４６が形成されている。この長穴４６は、祭壇８の底壁８ｃと墓碑本体５の底壁５ｃとの隙間に形成された断面Ｌ字形状の流路４７に連通しており、祭壇８の内部の水抜き、及び、祭壇８の内部の空気の流通を図るべく、また、墓碑本体５の前面開口部と、墓碑副本体６の前面開口部との間に充填されたシリコーンシーラなどの樹脂製のコーキング剤３０によって、水抜き兼空気流路４５を通って祭壇８の底壁８ｃの内側に浸水するのが防止されている。さらに、水抜き兼空気流路４５によって、雨季の場合でも、祭壇８の内部に雨水が溜まることがない。その上、祭壇８の内部の通気性も確保されるため、祭壇８の内部、墓碑副本体６の錆や黴の発生、錆や黴による腐食を防止できる。
【００５６】
そして、墓碑本体５の前面開口端部と、墓碑副本体６の前面開口端部との隙間に充填されたコーキング剤３０は、防虫及び防水にも対処できる。さらに、墓碑本体５の前面開口端部と、祭壇８の前面開口端部との間には、雨よけ兼日よけの傾斜Ａが形成されており、祭壇８の内部に雨水が直接浸水するのを防止している。
【００５７】
しかも、墓碑本体５の左右の両側壁５ａ，５ａ、底壁５ｃ、天井壁５ｄと、墓碑副本体６の左右の両側板６ａ，６ａ、底板６ｃ、天井板６ｄとの隙間が、フッ素焼付け塗装の施された磁器製の枠体５５によって覆蔽され、墓碑本体５の底壁５ｃと墓碑副本体６の底板６ｃとの隙間、及び、祭壇８の雨よけ兼日よけの領域Ａが、祭壇８の底壁８ｃに連設された断面Ｌ字形状のエプロン３５によって覆蔽されている。該エプロン３５も枠体５５と同様に、フッ素焼付け塗装が施されている。しかも、エプロン３５は、横覆蔽部３５ａと、該横覆蔽部３５ａの前端部から垂下された縦覆蔽部３５ｂとを有している。さらに、エプロン３５は、墓碑本体５の底壁５ｃの適当な箇所に接着剤が塗布され、この接着層の厚みを利用してエプロン３５の横覆蔽部３５ａと、墓碑本体５の底壁５ｃとが平行になるように調整されている。加えて、エプロン３５の横覆蔽部３５ａと祭壇８の底壁８ｃとの間には、コーキング剤３０が充填されている。また、エプロン３５には、祭壇８の開き戸１０の開放状態を保持する保持部材が設けられている。さらに、エプロン３５の縦覆蔽部３５ｂの裏面には、正面視矩形状の遮蔽板３６が取り付けられている。
【００５８】
保持部材は、エプロン３５の縦覆蔽部３５ｂの両側にそれぞれ円板形状の引掛け具４２，４２が取り付けられ、該引掛け具４２，４２には、祭壇８の開き戸１０に設けられたフック（図示せず）が引掛けられ、祭壇８の開き戸１０の開放状態が保持される。なお、保持部材の他の例として、エプロン３５の縦覆蔽部３５ｂの両側に、引掛け紐（図示せず）を巻取るリールを設け、引掛け紐の先端に取り付けられたフックを、祭壇８の開き戸１０に引掛けて開き戸１０の開放状態を保持するようにしてもよい。
【００５９】
墓碑銘板７の照明装置１２は、直管型の蛍光ランプ１２ａを有し、蛍光ランプ１２ａが墓碑本体５の上側の背壁５ｄに上下方向に取り付けられている。この蛍光ランプ１２ａは、制御装置１４のタイマーによって点灯時間が制御されており、例えば、午後５時〜９時までの間点灯する。さらに、蛍光ランプ１２ａは、点灯照度が調節できるようにも構成されている。上述した祭壇８の照明装置１２は、ろうそく灯１２ｂ，１２ｂを有している。このろうそく灯１２ｂ，１２ｂは、スイッチ（図示せず）を操作することで、点灯、消灯する。
【００６０】
音声発生装置１３は、筐体に収納されており、該筐体内には、スピーカーが内蔵されると共に、故人の声による遺言、宗教や宗派の回向や訓示、読経、音楽が収録された記録媒体の再生装置が装備されている（図示せず）。例えば、祭壇８の開き戸１０を開放した場合に読経をながし、墓碑台１に複数配設されたスイッチ（図示せず）を適宜選択して遺言、回向、訓示を聞くようにしてもよい。
【００６１】
照明装置１２及び音声発生装置１３の供給電源部１５は、祭壇付き複合墓碑の両側に設置された細長い電柱１６，１６から供給されている。該電柱１６，１６の前面には、太陽電池パネル１７，１７が装着されている。なお、照明装置１２、音声発生装置１３、供給電源部１５、蓄電装置１８は、墓碑台１に内装された接続ターミナル６０まで配線されて電気的に接続されている。
【００６２】
つぎに祭壇付き複合墓碑の製造方法について説明する。直方体形状の石材からなる四角柱体の前面を刳り貫いて箱状の墓碑本体５を形成する一方、墓碑本体５よりもやや小さい金属製の墓碑副本体６を墓碑本体５と略同形状に形成し、つぎに、墓碑副本体６の下側に、仏壇を構成した祭壇８を設ける。この際、墓碑本体５の前面開口端部と、祭壇８の前面開口端部との間に所定幅の雨よけ兼日よけの領域Ａを形成すべく、墓碑本体５の前面開口部よりも奥側に祭壇８の前面開口部を位置させる。祭壇８は、まず、左右の両側壁８ａ，８ａ、背壁８ｂ、底壁８ｃの各壁部から形成され、続いて、天井部９を形成すると共に、祭壇８の内装部２０を構成し、最後に、開き戸１０を取り付ける。
【００６３】
つぎに、墓碑副本体６の上部に直管型の蛍光ランプ１２ａを有する照明装置１２を設置すると共に、祭壇８にろうそく灯１２ｂ，１２ｂを有する照明装置１２を設置し、加えて、墓碑副本体６の前面開口部の上側に、家名や家紋などが印刷された墓碑銘板７を開閉可能に取り付け、続いて、墓碑本体５に墓碑副本体６を内装する。この際、墓碑副本体６に配設された調整ボルト５０，…によって、墓碑本体５と墓碑副本体６との隙間を調整してバランスよく内装する。
【００６４】
つぎに、墓碑本体５の前面開口端部と、墓碑副本体６の前面開口端部との隙間に、コーキング剤３０を充填し、このコーキング箇所を枠体５５によって覆蔽する。祭壇８の底壁８ｃにエプロン３５を連設し、墓碑本体５の底壁５ｃと墓碑副本体６の底板６ｃとの隙間、及び、祭壇８の雨よけ兼日よけの領域Ａを覆蔽する。
【００６５】
このように製造された祭壇付き複合墓碑は、設置場所の環境に充分に耐え得る構造になっている。例えば、海岸からの潮風による塩害、雨水、日射、雪害、低温、高温、紫外線に対応できるものである。
【００６６】
つぎに使用態様について説明する。通常、祭壇８の開き戸１０は、施錠されて閉じられた状態になっており、墓参の際に、故人の関係者の鍵によって開かれる。この際、開き戸１０が開いたことで、リミットスイッチがオンし、音声発生装置１３のスピーカから読経が流れる。一方、開き戸１０の開放動作によって、芳香剤の収容容器２４から所定量の溶液が噴霧される。この際、この溶液が故人の好きな香りであれば、故人の在りし日を回想することにもなる。
【００６７】
そして、参拝者が所望するスイッチを選択してオンにすれば、音声発生装置１３の記録媒体が再生されて故人の声や宗教の回向を聞くこともできる。
【００６８】
また、制御装置１４によって、照明装置１２の蛍光ランプ１２ａ及びろうそく灯１２ｂは、毎日、設定された時間に点灯するようになっており、故人に対して、日常生活しているのと同様に、午後５時から９時までの間は点灯し、１０時以降は、就寝するとして消灯させる。故人が、あたかも厳正で生活しているような思いで照明装置１２を制御する。また、墓参の際に、墓碑銘板７が蛍光ランプ１２ａによって内側から照射され、墓参する故人の墓であることを明るく表示される。さらに、墓碑銘板７の照明装置１２ａの光が祭壇８の天井部９を透過することに加え、祭壇８のろうそく灯１２ｂの光と融和し、融和された光が祭壇８の開き戸１０から外部へ洩れ出ることになり、本願特有の幻想的な光の装飾によって墓碑本体５を彩ることになる。
【００６９】
さらに、風の強い日における墓参に際しては、祭壇８の開き戸１０に取り付けられたフックを、祭壇８のエプロン３５の引掛け具４２，４２に引掛けて、開き戸１０を開放状態に保持し、強風による開き戸１０への弊害を防止できる。
【００７０】
このように、本発明の祭壇付き複合墓碑によれば、墓碑に対する既成概念を打破し、祭壇８を墓碑本体５に組み込むと共に、光や音によって故人への思いやりの気持ちを表現し、故人への供養ばかりではなく、墓参者への精神的な安堵感をも与えることができる。
【００７１】
なお、前記実施例の場合、墓碑銘板７にガラス板を用いたが、合成樹脂製の平板を用いてもよい。要するに、墓碑銘板７は、墓碑本体５に表記すべき事項が標示可能な材料であればよい。
【００７２】
また、前記実施例の場合、祭壇８として仏壇を設けたが、日蓮宗の祭壇、キリスト教の祭壇であってもよい。要するに、祭壇８としては、故人の信仰する宗教や宗派に応じた祭壇を設ければよい。例えば、キリスト教の場合、墓碑銘板７のガラス板、祭壇８の開き戸１０の強化ガラス板、天井部９のガラス製の天井板９ｂをステンドガラスに代えて、各ステンドガラスにそれぞれ宗教画を描いた磁器製のタイルを貼着し、祭壇８の階段２２の最上段にマリア像、キリスト像、十字架を安置するようにしてもよい。
【００７３】
また、墓碑銘板７の取付箇所としては、墓碑本体５の前面開口部ではなく、墓碑本体５の側壁５ａ，５ａ、背壁５ｂであってもよい。
【００７４】
さらに、墓碑銘板７の蛍光ランプ１２ａとしたが、発光ダイオード、ネオン管、ハロゲン電球、白熱電球などであってもよい。照明装置１２の取付箇所は図示に限定されるものではなく、照明装置１２によって墓碑銘板７を内側又は外側から照射できればよく、点灯色や点灯時間も適宜変更可能である。
【００７５】
加えて、音声発生装置１３動条件として、祭壇８の開き戸１０を開放することとしたが、墓碑本体５の前方に参拝者が立った場合、あるいは、祭壇８に花を供えた場合をセンサで検知して音声発生装置１３を駆動するようにしてもよい。また、音声発生装置１３の記録媒体としては、録音テープ、ＣＤ、ＭＤ、メモリカードのいずれであってもよい。さらに、スピーカを電柱１６，１６に内蔵してもよい。
【００７６】
また、墓碑本体５の墓碑銘板７及び祭壇８の取付位置も適宜変更可能であり、墓碑銘板７及び祭壇８の構成、装飾も、適宜設計変更可能である。
【００７７】
さらに、本発明の祭壇付き複合墓碑は、アパート式墓石にも適用できることはいうまでもない。
【００７８】
加えて、前記実施例の場合、墓碑本体５や墓碑副本体６に、石材やステンレス鋼を用いたが、アルミ、ガラス、樹脂、レジンであってもよく、装飾部材として、メッキ、金箔、ガラス繊維を用いてもよい。
【００７９】
また、前記実施例の場合、祭壇８の各壁部８ａ〜８ｃ、天井部９は、宗教画や装飾画を施したもの、黒色、金色、無地のいずれであってもよい。
【産業上の利用可能性】
【００８０】
本発明は、家名や家紋などの墓碑銘の記載された墓碑本体を改良し、故人への思いやりの気持ちと、墓参者に対する慰めの気持ちとを表わすことができる祭壇付き複合墓碑に係るものである。本発明は、墓碑自体の構造工夫改良を加えたものであり、既存の石材などからなる墓碑本体の種々の宗教や宗派に応じた祭壇を組み合わせれば、故人の信仰する宗教や宗派が判別できると同時に、故人の供養にもなる、汎用性のある祭壇付き複合墓碑を提供するものである。本発明の墓碑は、石工のような専門職的な高度の技術は必要なく、誰でも容易に墓碑銘を墓碑本体に記すことができると共に、耐食性を有し、長期間の使用が可能な意匠性にも優れた墓碑を提供するものである。
【図面の簡単な説明】
【００８１】
【図１】本発明の祭壇付き複合墓碑を示した斜視図である。
【図２】図１の側断面図である。
【図３】図１の切断平面図である。
【図４】祭壇の開き戸を閉じた状態の正面図である。
【図５】一部を除去した状態の正面図である。
【図６】水抜き兼空気流通路の部分を拡大して断面図である。
【図７】祭壇の天井部を拡大した断面図である。
【図８】従来例の墓石の正面図である。
【符号の説明】
【００８２】
１，９０  墓碑台
２  墓碑台本体
３  蓋板
４  敷板
５，９１  墓碑本体
５ａ，８ａ  側壁
５ｂ，８ｂ  背壁
５ｃ，８ｃ  底壁
５ｄ  天井壁
５ｅ  支持台
６  墓碑副本体
６ａ  側板
６ｂ  背板
６ｃ  底板
６ｄ  天井板
７  墓碑銘板
７ａ  錠前
８  祭壇
９  天井部
９ａ  骨組み
９ｂ  天井板
９ｃ  フィルム
１０  開き戸
１０ａ  格子戸
１０ｂ  枠体
１０ｃ  骨組み
１０ｄ  強化ガラス板
１１  錠前
１２  照明装置
１２ａ  蛍光ランプ
１２ｂ  ろうそく灯
１３  音声発生装置
１４  制御装置
１５  供給電源部
１６  電柱
１７  太陽電池パネル
１８  蓄電装置
２０  内装部
２１  基壇
２１ａ  引出し
２１ｂ  載置板
２２  階段
２２ａ  手すり
２３  支柱
２３ａ  装飾具
２３ｂ  欄間
２４  収容容器
２５  レバー
２６  ノズル
３０  コーキング剤
３５  エプロン
３５ａ  横覆蔽部
３５ｂ  縦覆蔽部
３６  遮蔽板
４２  引掛け具
３５  水抜き兼空気流路
４６  長穴
４７  流路
５０  調整ボルト
５５  枠体
６０  接続ターミナル
Ａ  雨よけ兼日よけの領域
【図１】
2007198124.tif 000003
【図２】
2007198124.tif 000004
【図３】
2007198124.tif 000005
【図４】
2007198124.tif 000006
【図５】
2007198124.tif 000007
【図６】
2007198124.tif 000008
【図７】
2007198124.tif 000009
【図８】
2007198124.tif 000010